(57)【特許請求の範囲】
【請求項１】
ＩＣカードが装着される車載システムと、前記車載システムと狭域無線通信を行う決済システムとを有する情報システムであって、
前記決済システムは、
前記狭域無線通信を介して前記車載システムに装着されているＩＣカードにアクセスして当該ＩＣカードに対する決済を行う決済手段と、
前記狭域無線通信を介して前記車載システムからカード情報要求を受信したときに、前記狭域無線通信を介して前記車載システムに装着されているＩＣカードにアクセスして当該ＩＣカードの種別の識別情報を取得し、取得した識別情報が表すＩＣカードの種別を表すカード情報を、当該ＩＣカードのカード情報として前記車載システムに送信するカード情報提供手段とを有し、
前記車載システムは、
当該車載システムに装着されているＩＣカードのカード情報を記憶する記憶手段と、
前記記憶手段に記憶されている、当該車載システムに装着されているＩＣカードのカード情報が表すＩＣカードの種別を示す情報を表示するカード情報表示手段とを有し、
当該カード情報表示手段は、
当該車載システムに装着されているＩＣカードのカード情報が前記記憶手段に記憶されていない状態で、前記決済システムと前記狭域無線通信が可能となったときに、前記カード情報要求を前記狭域無線通信を介して前記決済システムに送信し、前記決済システムから送信されたカード情報を、当該車載システムに装着されているＩＣカードのカード情報として、前記記憶手段に記憶することを特徴とする情報システム。
【請求項２】
請求項１記載の情報システムであって、
前記決済システムは、ＩＣカードの種別毎に、当該種別のＩＣカードの外観イメージを表す画像を登録したデータベースを有し、
前記決済システムのカード情報提供手段は、前記カード情報として、前記取得した識別情報が表すＩＣカードの種別に対して前記データベースに登録されている画像を前記車載システムに送信し、
前記車載システムのカード情報表示手段は、前記ＩＣカードの種別を示す情報として、当該車載システムに装着されているＩＣカードのカード情報として前記記憶手段に記憶されている画像を表示することを特徴とする情報システム。
【請求項３】
請求項１記載の情報システムであって、
前記決済システムのカード情報提供手段は、前記カード情報として、前記取得した識別情報が表すＩＣカードの種別の識別を前記車載システムに送信し、
前記車載システムは、ＩＣカードの種別毎に、当該種別のＩＣカードの外観イメージを表す画像を登録したデータベースを有し、
前記車載システムのカード情報表示手段は、前記ＩＣカードの種別を示す情報として、前記記憶手段に記憶されている、当該車載システムに装着されているＩＣカードのカード情報が識別を表すＩＣカードの種別に対して前記データベースに登録されている画像を表示することを特徴とする情報システム。
【発明の詳細な説明】
【技術分野】
【０００１】
本発明は、主として、クレジット機能などの決済機能を備えたＩＣカードが装着される車載システムと、DSRC（Dedicated Short Range Communications: 狭域通信)を介して車載システムに装着されたＩＣカードに対する決済を行う決済システムとより構成される情報システムに関するものである。
【背景技術】
【０００２】
ＩＣカードが装着される端末システムに関する技術としては、端末システムにおいて、装着されたＩＣカードに記憶されているＩＣカードの種別の識別情報を読み出し、読み出した識別情報が示す種別のＩＣカードの外観イメージを表す画像を表示する技術が知られている（特許文献１）。このような技術によれば、ユーザは、端末システムからＩＣカードを取り出すことなく、端末システムに装着されているＩＣカードを認識することができる。
【先行技術文献】
【特許文献】
【０００３】
【特許文献１】特開２００８-２９３７２号公報
【発明の概要】
【発明が解決しようとする課題】
【０００４】
クレジット機能などの決済機能を備えたＩＣカードが装着される車載システムにおいて、ＩＣカードの種別の識別情報などのＩＣカードの識別に関わる情報を読み出して判別することは、ＩＣカードのセキュリティを担保する上で好ましくないために規格上禁じられることがある。
【０００５】
そして、このような場合には、上述した端末システムの技術によれば、端末システムにおいてＩＣカードの種別を識別できなくなるために、ユーザに、装着されているＩＣカードの種別を提示することができなくなる。
そこで、本発明は、ＩＣカードが装着される車載システムにおいて、ＩＣカードの識別に関わる情報を読み出して判別することができない場合であっても、ユーザに、装着されているＩＣカードの種別を提示できるようにすることを課題とする。
【課題を解決するための手段】
【０００６】
前記課題達成のために、本発明は、ＩＣカードが装着される車載システムと、前記車載システムと狭域無線通信を行う決済システムとを有する情報システムにおいて、前記決済システムに、前記狭域無線通信を介して前記車載システムに装着されているＩＣカードにアクセスして当該ＩＣカードに対する決済を行う決済手段と、前記狭域無線通信を介して前記車載システムからカード情報要求を受信したときに、前記狭域無線通信を介して前記車載システムに装着されているＩＣカードにアクセスして当該ＩＣカードの種別の識別情報を取得し、取得した識別情報が表すＩＣカードの種別を表すカード情報を前記車載システムに送信するカード情報提供手段とを設け、前記車載システムに、前記カード情報要求を前記狭域無線通信を介して前記決済システムに送信し、前記決済システムから送信されたカード情報が表すＩＣカードの種別を示す情報を表示するカード情報表示手段を備えたものである。
【０００７】
ここで、このような情報システムは、前記決済システムに、ＩＣカードの種別毎に、当該種別のＩＣカードの外観イメージを表す画像を登録したデータベースを設け、前記決済システムのカード情報提供手段において、前記カード情報として、取得した識別情報が表すＩＣカードの種別に対して前記データベースに登録されている画像を前記車載システムに送信し、前記車載システムのカード情報表示手段において、前記ＩＣカードの種別を示す情報として、前記決済システムから前記カード情報として受信した画像を表示するように構成してもよい。
【０００８】
または、このような情報システムは前記車載システムに、ＩＣカードの種別毎に、当該種別のＩＣカードの外観イメージを表す画像を登録したデータベースを設け、前記決済システムのカード情報提供手段において、前記カード情報として、前記取得した識別情報が表すＩＣカードの種別の識別を前記車載システムに送信し、前記車載システムのカード情報表示手段において、前記ＩＣカードの種別を示す情報として、前記決済システムから受信したカード情報が識別を表すＩＣカードの種別に対して前記データベースに登録されている画像を表示するように構成してもよい。
【０００９】
また、以上のような情報システムは、前記車載システムのカード情報表示手段において、前記ＩＣカードが装着された後、前記決済システムと前記狭域無線通信が可能となったときに、前記カード情報要求を前記狭域無線通信が可能となった前記決済システムに送信するように構成してもよいし、前記車載システムのカード情報表示手段において、前記決済システムの前記決済手段が、当該車載システムに装着されているＩＣカードに対する決算の手順を開始したときに、前記カード情報要求を当該決済システムに送信するするように構成してもよい。
【００１０】
これらの情報システムによれば、車載システムがＩＣカードから当該ＩＣカードの識別に関わる情報を読み出して判別することができない場合であっても、決済システムを介してＩＣカードの種別の情報を取得してユーザに提示することができる。
【発明の効果】
【００１１】
以上のように、本発明によれば、ＩＣカードが装着される車載システムにおいて、ＩＣカードの識別に関わる情報を読み出して判別することができない場合であっても、ユーザに、装着されているＩＣカードの種別を提示できるようにすることができる。
【図面の簡単な説明】
【００１２】
【図１】本発明の実施形態に係る情報システムの構成を示すブロック図である。
【図２】本発明の実施形態に係る車載システム構成を示すブロック図である。
【図３】本発明の実施形態に係るカード情報表示処理を示すフローチャートである。
【図４】本発明の実施形態に係るカード情報表示処理による表示例を示す図である。
【発明を実施するための形態】
【００１３】
以下、本発明の実施形態について説明する。
図１に、本実施形態に係る情報システムの構成を示す。
図示するように、情報システムは、各自動車に搭載された車載システム１と、路側システム２と、ＩＣカードの認証やＩＣカードに対する決済を行う決済ネットワーク３とを含んで構成される。
また、路側システム２は、近傍に位置する自動車の車載システム１との間でDSRCによる通信信号の送受を行う路側送受信機２００と、店舗サーバ２１０とを備えている。そして、店舗サーバ２１０は、路側送受信機２００を用いて車載システム１と通信を行う路側通信機２１１、情報サービス部２１２、カードデータベース２１３、ＰＯＳ部２１４とを備えている。ここで、ＰＯＳ部２１４は、路側通信機２１１、車載システム１を介して、車載システム１に装着されているＩＣカードにアクセスし、決済ネットワーク３と協調動作して、当該ＩＣカードに対する決済処理を行う
【００１４】
また、カードデータベース２１３には、ＩＣカードの種別毎に、当該種別の名称、当該種別のＩＣカードの外観イメージを表す画像の画像データが蓄積されている。また、カードデータベース２１３には、ＩＣカードの種別毎に、当該種別の名称や、当該種別のＩＣカードに対して提供される付加サービスの情報などの関連情報も登録されている。
【００１５】
次に、図２に各自動車に搭載される車載システム１の構成を示す。
図示するように、車載システム１は、操作部１１、表示装置１２、操作部１１や表示装置１２を用いたＧＵＩを制御するＧＵＩ制御部１３、カード情報提示処理部１４、決済処理部１５、ナビゲーション装置１６、DSRC通信装置１７、記憶装置１８、脱着可能に装着されたＩＣカード４のリード/ライトを行うカードリーダ/ライタ１９を備えている
但し、車載システム１は、ハードウエア的には、マイクロプロセッサや、メモリや、その他の周辺デバイスを有する一般的な構成を備えたコンピュータを利用して構成されるものであってよく、この場合、以上に示した車載システム１の各部もしくはその一部は、マイクロプロセッサが予め用意されたプログラムを実行することにより具現化するものであって良い。また、この場合、このようなプログラムは、記録媒体や適当な通信路を介して、車載システム１に提供されるものであって良い。
【００１６】
ここで、記憶装置１８には、地図データや、店舗サーバ２１０とDSRCによる通信が可能なエリアである決済エリアの地理的な範囲を表す決済エリア情報が記憶されている。
そして、ナビゲーション装置１６は、車速センサやジャイロセンサやＧＰＳ受信機を備えており、記憶装置１８に記憶されている地図データを用いて、現在位置の算出や、設定された目的地までの誘導ルートの探索及び設定などの処理を行う。また、ナビゲーション装置１６は、地図を示す地図画像上に、現在位置や設定されている誘導ルートや目的地を表す図形を描画した案内画像を生成し、ＧＵＩ制御部１３を介して表示装置１２に表示する処理も行う。
【００１７】
次に、決済処理部１５は、店舗サーバ２１０のカードリーダ/ライタ１９に装着されているＩＣカード４へのアクセスを仲介する機能を備えている。
そして、この機能を用いて、決済処理部１５は、ＩＣカードに対する決済のための決済手順を実行する。この決済手順においては、決済処理部１５は、店舗サーバ２１０のＰＯＳ部２１４の決済のためのカードリーダ/ライタ１９に装着されているＩＣカード４の記録情報読み出しの仲介、店舗サーバ２１０のＰＯＳ部２１４から通知された支払い料金の表示装置１２への表示や、本人認証番号の入力受け付け及び本人認証番号の店舗サーバ２１０のＰＯＳ部２１４への通知、ユーザの支払い意志の確認及び店舗サーバ２１０のＰＯＳ部２１４への支払い意志の通知などを行う。
【００１８】
また、カード情報提示処理部１４は、カードリーダ/ライタ１９に装着されているＩＣカード４の情報をユーザに提示するために、図３に示すカード情報表示処理を行う。
但し、ここでは、車載システム１の電源がオンの期間中にのみＩＣカード４の脱着が可能なようにカードリーダ/ライタ１９が構成されている場合を例にとる。
さて、図示するようにカード情報表示処理では、まず、カードリーダ/ライタ１９にＩＣカード４が装着されているかどうかを調べ（ステップ３０２）、装着されていない場合には、ＩＣカード４が装着されていない旨をＧＵＩ制御部１３を介して表示装置１２に表示する（ステップ３２２）。ここで、このステップ３２２における表示は、たとえば、図４ａに示すように、ナビゲーション装置１６が表示している案内画像４００上に重畳表示した情報ウインドウ４０１内に、カード無しを表すアイコン４０２を表示することにより行う。
そして、以降は、ＩＣカード４のカードリーダ/ライタ１９への装着の発生を監視し（ステップ３２４）、装着が発生したならばステップ３０６に進む。
【００１９】
一方、カードリーダ/ライタ１９にＩＣカード４が装着されている場合には、記憶装置１８にカード情報が記憶されているかどうかを調べ（ステップ３０４）、記憶されていればステップ３１６に進み、記憶されていなければステップ３０６に進む。こで、記憶装置１８に記憶されるカード情報には、カードリーダ/ライタ１９に装着されているＩＣカード４の外観イメージを表す画像の画像データであるカード画像データと、当該ＩＣカード４の有効期限や、当該ＩＣカード４の種別の名称や、当該ＩＣカード４の上述した関連情報などが含まれる。
【００２０】
次に、以上のようにして、ステップ３０４またはステップ３２４からステップ３０６に進んだならば、ＩＣカード４が装着されている旨をＧＵＩ制御部１３を介して表示装置１２に表示する。ここで、このステップ３０６における表示は、たとえば、図４ｂに示すように、ナビゲーション装置１６が表示している案内画像４００の上に重畳表示した情報ウインドウ４０１の内に、カード有りを表すアイコン４０３を表示することにより行う。
【００２１】
そして、ナビゲーション装置１６が算出している現在位置が、記憶装置１８に記憶されている決済エリア情報が示す、いずれかの店舗サーバ２１０とDSRCによる通信が可能な決済エリア内となるのを待つ（ステップ３０８）。
そして、現在位置が決済エリア内となったならば（ステップ３０８）、DSRC通信装置１７を介して、当該決済エリアでDSRC通信を行う路側システム２の店舗サーバ２１０にDSRCによる通信を介して、カード情報要求を発行する（ステップ３１０）。
ここで、このようにして車載システム１から発行されたカード情報要求は、店舗サーバ２１０において、情報サービス部２１２によって受け取られる。そして、カード情報要求を受け取った情報サービス部２１２は、路側通信機２１１、車載システム１の決済処理部１５を介して、車載システム１のカードリーダ/ライタ１９に装着されたＩＣカード４にアクセスし、当該ＩＣカード４の識別情報や、当該ＩＣカード４の種別の識別情報や、当該ＩＣカード４の有効期限等の情報を読み出す。そして、読み出したＩＣカード４の種別に対してカードデータベース２１３に登録されている、当該種別の名称と、当該種別のＩＣカード４の外観イメージを表す画像の画像データと、当該種別のＩＣカード４の関連情報を読み出し、ＩＣカード４から読み出した有効期限の情報などと共にカード情報として、カード情報要求を発行した車載システム１に、その応答として送信する。
【００２２】
そして、車載システム１のカード情報提示処理部１４は、カード情報表示処理において、発行したカード情報要求の応答として店舗サーバ２１０からカード情報を受信したならば（ステップ３１２）、受信したカード情報を記憶装置１８に記憶し（ステップ３１４）、ステップ３１６に進む。
次に、以上のようにして、ステップ３０４またはステップ３１４からステップ３１６に進んだならば、カード情報として記憶されている画像データが表す画像をＧＵＩ制御部１３を介して表示装置１２に表示する。
ここで、このステップ３１６における表示は、たとえば、図４ｃに示すように、ナビゲーション装置１６が表示している案内画像４００の上に重畳表示した情報ウインドウ４０１の内に、カード情報として記憶されている画像データが表す画像４０４、すなわち、装着されているＩＣカード４の種別のＩＣカード４の外観イメージを表す画像４０４を表示することにより行う。
【００２３】
そして、カードリーダ/ライタ１９からのＩＣカード４の抜き取りの発生を監視し（ステップ３１８）、抜き取りが発生したならば、記憶装置１８に記憶されているカード情報を破棄し（ステップ３２０）、ステップ３２２からの処理に進む。
である。
以上、カード情報提示処理部１４が行うカード情報表示処理について説明した。
ところで、以上のカード情報表示処理のステップ３１６における表示は、図４ｄに示すように、カード情報として記憶されている画像データが表す画像４０４と共に、カード情報として記憶されているＩＣカード４の種別の名称や、有効期限や、関連情報を表示するものとしてもよい。
【００２４】
または、一定期間図４ｄに示す表示を行った後、以降、図４ｃに示す表示を行うようにしてもよい。
また、図４ｄに示す表示を、決済処理部１５における店舗サーバ２１０との間の決済手順の開始時に行うようにしてもよい。
また、以上の実施形態では、店舗サーバ２１０側に各種別のＩＣカード４の外観イメージを表す画像データを記憶したが、これは車載システム１側に予め記憶しておくようにしてもよい。すなわち、この場合には、車載システム１において店舗サーバ２１０から取得したカード情報によって示される種別の名称によって識別されるＩＣカード４の種別のＩＣカード４の外観イメージを表す画像データを、記憶している画像データのうちから選定しステップ３１６において表示する画像の画像データとするようにする。
【００２５】
また、以上の実施形態におけるカード情報表示処理は、ステップ３０８を、決済処理部１５が店舗サーバ２１０との間で行う決済手順の開始を待ってステップ３１０に進む処理に変更してもよい。このようにすることにより、車載システム１は、決済の開始時にカード情報を店舗サーバ２１０から取得して、装着されているＩＣカード４の外観イメージを表す画像等を表示することとなる。
また、以上のカード情報表示処理は、車載システム１の電源がオンの期間中にのみＩＣカード４の脱着が可能なようにカードリーダ/ライタ１９が構成されている場合について説明したが、車載システム１の電源がオフの期間中にもＩＣカード４の脱着が可能な場合にも、カード情報表示処理は、ステップ３０４を省略して適用することができる。または、車載システム１の電源がオフの期間中にもＩＣカード４の脱着が可能な場合には、待機電源で動作する機能部として、カードリーダ/ライタ１９からのＩＣカード４の抜き取りの発生を検出し、抜き取りの発生が検出された場合に、その旨を保持する機能部を設けると共に、以上のカード情報表示処理を、ステップ３０４を、当該機能部に抜き取りの発生の旨が保持されている場合には、ステップ３０６に進み、保持されていない場合にはステップ３１６に進む処理に置き換えて適用するようにしてもよい。
【００２６】
以上のように、本実施形態によれば、車載システム１がＩＣカード４から識別に関わる情報を読み出して判別することができない場合であっても、店舗サーバ２１０を介してＩＣカード４の種別の情報を取得してユーザに提示することができる。
【符号の説明】
【００２７】
１…車載システム、２…路側システム、３…決済ネットワーク、４…ＩＣカード、１１…操作部、１２…表示装置、１３…ＧＵＩ制御部、１４…カード情報提示処理部、１５…決済処理部、１６…ナビゲーション装置、１７…DSRC通信装置、１８…記憶装置、１９…カードリーダ/ライタ、２００…路側送受信機、２１０…店舗サーバ、２１１…路側通信機、２１２…情報サービス部、２１３…カードデータベース、２１４…ＰＯＳ部、４００…案内画像、４０１…情報ウインドウ。
【図１】
0005825633.tif 000002
【図２】
0005825633.tif 000003
【図３】
0005825633.tif 000004
【図４】
0005825633.tif 000005